(57)【特許請求の範囲】
【請求項１】
反射鏡の背面に配置されて該反射鏡を保持すると共に、ポールに取り付けるための取付金具を備える反射鏡取付部と、
該反射鏡取付部から前記反射鏡の外周縁より外方へ位置する部分に延伸されたアーム固定部と、
先端部に固着されているコンバータを支持するアームと、該アームの後端部に形成されている前記アーム固定部に着脱可能に取り付けられる連結部とを有するアーム部とを備え、
前記連結部には、前記アーム固定部の両側を挟持する挟持部と、該挟持部の底部から後部にかけて設けられた抱持板と、断面形状が異形とされ、長軸方向にスリットが形成されている軸部とが形成されており、前記アーム固定部には、前記軸部が挿入される挿入孔と、該挿入孔の端部に形成され前記軸部が回転可能とされており、周囲に抜き孔が形成されている孔部と、前記挟持部により挟持されると共に、前記挿入孔に挿通されて前記孔部に嵌入された前記軸部が回転された際に、前記抱持板により抱持される嵌着枠部とが形成されていることを特徴とする反射鏡アンテナ。
【請求項２】
前記連結部の後端から後側へ突出する一対の係止片が形成され、該係止片同士の対向する面にそれぞれ突起が形成されて、前記孔部に嵌入された前記軸部が回転された際に、前記アーム固定部の後端から後側へ突出する一対の係合片の上面に前記突起がそれぞれ係合されるようにしたことを特徴とする請求項１記載の反射鏡アンテナ。
【請求項３】
前記軸部の断面形状が丸棒の上下を切り取った形状とされて、前記軸部は長軸に沿って前記挿入孔を通過できる平行な面を有する異形とされ、前記孔部の形状がほぼ円形とされていることを特徴とする請求項１記載の反射鏡アンテナ。
【請求項４】
前記アーム固定部は、前記反射鏡取付部から延伸する延伸部の先端部に形成され、前記アーム固定部の幅が前記延伸部の幅より若干狭く形成されて、両者の境界部には段差部が形成されており、前記孔部に嵌入された前記軸部が回転された際に、前記挟持部の両側の上縁が前記段差部に当接されるようにしたことを特徴とする請求項１記載の反射鏡アンテナ。
【発明の詳細な説明】
【技術分野】
【０００１】
本発明は、ＢＳ放送やＣＳ放送等の衛星放送を受信するための反射鏡を備える反射鏡アンテナに関するものである。
【背景技術】
【０００２】
ＢＳ放送やＣＳ放送等の衛星放送を受信するためのアンテナとしては、パラボラアンテナが一般に用いられている。パラボラアンテナは、パラボラ反射鏡とパラボラ反射鏡により反射されて集束された電波を受信するホーンを有するコンバータとから構成されている。なお、コンバータのホーンはパラボラ反射鏡の焦点位置に配置され、コンバータは一般に、パラボラ反射鏡に固着されたアームの先端に固着されている。コンバータをパラボラ反射鏡の焦点位置に支持するアームの延伸方向は、その性格上パラボラ反射鏡の開口面に対してほぼ直交する方向とされているため、パラボラアンテナを輸送する際の梱包姿勢が大きくなる。これを解決する従来の反射鏡アンテナとして、オフセットパラボラアンテナからなる反射鏡アンテナとすると共に、アームを反射鏡から取り外せるようにして輸送する際の梱包姿勢を小さくした反射鏡アンテナが知られている。
【０００３】
従来の反射鏡アンテナの構成の一例を示す側面図を図３０に示す。図３０に示すパラボラアンテナ１００はオフセットパラボラアンテナとされており、反射鏡１１０とアーム部１１３とコンバータ１１４とを備えている。コンバータ１１４はアーム部１１３の先端に固着されており、アーム部１１３の端部は、反射鏡１１０の背面に設けられた反射鏡取付部１１１に固着される。アーム部１１３の端部が反射鏡取付部１１１に固着されることにより、コンバータ１１４におけるホーンは反射鏡１１０の焦点位置に位置するようになる。反射鏡取付部１１１はパラボラアンテナ１００をマスト５０に取り付けるための取付部であり、マスト５０に取り付けるための取付金具が備えられている。また、マスト５０にパラボラアンテナ１００を取り付けた後に、反射鏡１１０を受信する衛星方向に向ける際の仰角を反射鏡取付部１１１において調整することができる。
【０００４】
この反射鏡取付部１１１の構成を拡大して示す斜視図を図３１に示す。図３１に示す反射鏡取付部１１１は、支持金具１１５と、支持金具１１５に所定の回動範囲で回動可能に固着される固着金具１２０とから構成されている。支持金具１１５は断面コ字状とされ、４隅からそれぞれ屈曲された取付足１１５ｄが突出して形成されている略矩形状とされた本体部１１５ａを備え、本体部１１５ａの両脇に側板１１５ｂが折曲されてそれぞれ形成されている。取付足１１５ｄにはネジが挿通されて、このネジが反射鏡１１０の背面に螺着されることにより、反射鏡取付部１１１が反射鏡１１０に固着される。本体部１１５ａのほぼ中央にはアーム部１１３の端部が２本のネジにより固着されている。この場合、アーム部１１３の側面を抱持する抱持片が本体部１１５ａから切り起こされている。
【０００５】
固着金具１２０は断面コ字状に形成されており、ほぼ矩形状の本体部１２０ａと、本体部１２０ａの両脇に折曲されてそれぞれ形成された側板１２０ｃとを備えている。支持金具１１５の両側板１１５ｂの間に固着金具１２０の側板１２０ｃは挟まれており、側板同士がそれぞれボルト１１６とボルト１１７とにより固着されている。この場合、側板１１５ｂに形成されている円弧状長孔１１５ｃに挿通されたボルト１１７は、固着金具１２０の側板１２０ｃに螺着され、支持金具１１５を固着金具１２０に対して回動していくとボルト１１７が円弧状長孔１１５ｃ内を摺動していくようになる。支持金具１１５は反射鏡１１０に固着されていることから、固着金具１２０を回動させることにより反射鏡１１０の仰角を所定の仰角となるよう調整することができる。調整後には、ボルト１１６およびボルト１１７を締着する。
【０００６】
また、固着金具１２０の本体部１２０ａには対面するように挟持金具１２１が一対のボルト１２２により取り付けられており、挟持金具１２１と本体部１２０ａとの間にマスト５０を挟持することができる。マスト５０に固着金具１２０を取り付けた状態を図３２に示す。本体部１２０ａの上部には屈曲されたストッパー金具１２０ｂがネジにより固着されており、ストッパー金具１２０ｂの下面にマスト５０の上面が当接している。このように、反射鏡取付部１１１をマスト５０の上部に取り付けることができる。なお、挟持金具１２１における一側にはボルト１２２が挿通された長孔１２１ａが形成されており、長孔１２１ａ内をボルト１２２が摺動するよう挟持金具１２１を動かすことにより、ボルト１２２を固着金具１２０から取り外すことなく挟持金具１２１によりマスト５０を挟持することができるようになる。なお、マスト５０に対して反射鏡取付部１１１を回転させて反射鏡１１０の方位角を調整した後に一対のボルト１２２を本体部１２０ａに締着する。なお、マスト５０の中途に反射鏡取付部１１１を取り付ける際には、ストッパー金具１２０ｂを本体部１２０ａから取り外しておく。
【０００７】
次に、従来の反射鏡アンテナの構成の他の例を示す側面図を図３３に示す。図３３に示すパラボラアンテナ２００はオフセットパラボラアンテナとされており、反射鏡２１０とアーム部２１３とコンバータ２１４とを備えている。コンバータ２１４はアーム部２１３の先端に固着されており、アーム部１１３の端部には連結部２１５が形成されている。この連結部２１５が、アーム固定部２１２に着脱可能に嵌着される。反射鏡２１０の背面に設けられた反射鏡取付部２１１から反射鏡２１０の外周縁より外方へ位置する部分まで延伸されている延伸部の先端部にアーム固定部２１２は形成されている。このアーム固定部２１２にアーム部２１３の端部の連結部２１５が固着されることにより、コンバータ２１４におけるホーンが反射鏡２１０の焦点位置に位置するようになる。反射鏡取付部２１１はパラボラアンテナ２００をマスト５０に取り付けるための取付部であり、マスト５０に取り付けるための取付金具が備えられている。また、マスト５０にパラボラアンテナ２００を取り付けた後に、反射鏡２１０を受信する衛星方向に向ける際の仰角を反射鏡取付部２１１において調整することができる。
【０００８】
連結部２１５とアーム固定部２１２の構成を拡大して示す斜視図を図３４に示す。図３４に示す連結部２１５には、アーム部の長軸にほぼ直交する面内にストッパー面板２１５ｄが形成されており、このストッパー面板２１５ｄの前面にはほぼ中央から前方へ突出する一対の弾性係合片２１５ａと、弾性係合片２１５ａの外側に２本のレールからなる一対のレール片２１５ｂとが形成されている。また、一対のレール片２１５ｂの下には細長い板状とされ上面が平板状とされた底面板２１５ｃがそれぞれ形成されている。弾性係合片２１５ａは細長い板状とされ外側の面に先に行くほど幅が狭まるくさび状の係合片が形成されており、一対の弾性係合片２１５ａの間隔は先に行くほど次第に広がっている。また、アーム固定部２１２は下方へ延伸する板状の一対の係合片２１２ａと、係合片２１２ａの両側に２本の溝部２１２ｃが内側に形成された一対のガイド部２１２ｂとを備えている。また、ガイド部２１２ｂの外側の面にはケーブルを保持するホルダー２１２ｄがそれぞれ形成されている。
【０００９】
このような構成の連結部２１５をアーム固定部２１２に嵌着した状態の構成を示す斜視図を拡大して図３５に示す。連結部２１５の弾性係合片２１５ａをアーム固定部２１２の間に挿入していくと、一対のレール片２１５ｂがそれぞれガイド部２１２ｂの溝部２１２ｃ内に案内されて進入していき、アーム固定部２１２の前面がストッパー面板２１５ｄに当接すると図３５に示すように、弾性係合片２１５ａの前部に形成されているくさび状の部位が係合片２１２ａの後側面に係合するようになる。この際に底面板２１５ｃの上面が、ガイド部２１２ｂの下面を支持するようになる。これにより、連結部２１５が形成されているアーム部２１３をアーム固定部２１２を備える反射鏡２１０に取り付けることができる。なお、図３５に示す状態において弾性係合片２１５ａの両側に指をかけて弾性係合片２１５ａの間隔が狭くなるよう力を加えることにより、係合片２１２ａから弾性係合片２１５ａの係合が解除されて、アーム固定部２１２から連結部２１５を取り外すことができる。このように、アーム部２１３は反射鏡２１０に対して着脱自在に取り付けることができる。
【特許文献１】特許第３２５８９３９号公報
【発明の開示】
【発明が解決しようとする課題】
【００１０】
従来の反射鏡アンテナの一例においては、反射鏡取付部１１１は反射鏡１１０に４本の頭部が六角形のボルトにより固着されると共に、アーム部１１３も反射鏡取付部１１１に２本の頭部が六角形のボルトにより固着されている。このため、反射鏡取付部１１１およびアーム部１１３を固着する際に六角レンチやスパナが必要となるため、これらの工具を持ち合わせていない場合は取り付けることができない。また、工具を持ち合わせていてもアーム部１１３を取り付ける際には、反射鏡取付部１１１における狭い空間内に工具を差し入れて締着作業を行わなければならず固着作業が困難になるという問題点があった。さらに、従来の反射鏡アンテナの他の例においては、アーム部２１３を反射鏡２１０にボルトを使用することなく固着することができるが、金属製の筐体を備える重量が重いコンバータがアーム部１１３の先端に取り付けれていることから、樹脂製の連結部２１５と樹脂製のアーム固定部２１２からなる固着構造に大きな応力が印加されることになる。このため、連結部２１３とアーム固定部２１２との固着構造が緩まないように、連結部２１５とアーム固定部２１２との固着構造を大型化して強度を上げなければならないという問題点があった。
【００１１】
そこで、本発明は、アーム部を反射鏡に固着する構造をコンパクトな樹脂製の固着構造とすることができる反射鏡アンテナを提供することを目的としている。
【課題を解決するための手段】
【００１２】
上記目的を達成するために、本発明は、アーム固定部の両側を挟持する挟持部と、該挟持部の底部から後部にかけて設けられた抱持板と、断面形状が異形とされ、長軸方向にスリットが形成されている軸部とが形成されている連結部を、軸部が挿入される挿入孔と該挿入孔の端部に形成され軸部が回転可能とされており、周囲に抜き孔が形成されている孔部と、挟持部により挟持されると共に、挿入孔に挿通されて孔部に嵌入された軸部が回転された際に、抱持板により抱持される嵌着枠部とが形成されているアーム固定部に取り付けることを最も主要な特徴としている。
【発明の効果】
【００１３】
本発明は、孔部に嵌入された軸部が支点となり、嵌着枠部を抱持する抱持板が作用点となってアームの先端に取り付けられているコンバータの重量を確実に支持できることから、コンパクトな構造としてもコンバータの重量を十分支持することができるようになる。
【発明を実施するための最良の形態】
【００１４】
本発明にかかる反射鏡アンテナの実施例であるパラボラアンテナ１の構成を示す側面図を図１に示す。
この図１に示す本発明の実施例であるパラボラアンテナ１は、オフセットパラボラアンテナとされており、樹脂製の反射鏡１０と、樹脂製のアーム部１３と、コンバータ１４とを備えている。コンバータ１４はアーム部１３の先端に固着されており、アーム部１３の端部には連結部１３ａが形成されている。矢印で図示されるように、この連結部１３ａがアーム固定部１２に嵌着されることによりパラボラアンテナ１は組み立てられ、連結部１３ａはアーム固定部１２に対して着脱自在とされている。反射鏡１０の背面には反射鏡取付部１１が設けられており、この反射鏡取付部１１から反射鏡１０の外周縁より外方へ位置する部分まで延伸されている延伸部の先端部にアーム固定部１２は形成されている。このアーム固定部１２にアーム部１３の端部の連結部１３ａが固着されることにより、コンバータ１４におけるホーンが反射鏡１０の焦点位置に位置するようになる。反射鏡取付部１１はパラボラアンテナ１をマスト５０に取り付けるための取付部であり、マスト５０に取り付けるための取付金具が備えられている。また、マスト５０にパラボラアンテナ１を取り付けた後に、反射鏡１０を受信する衛星方向に向ける際の方位角および仰角を反射鏡取付部１１において調整することができる。
【００１５】
ここで、反射鏡１０の構成を図２ないし図４に示す。図２は反射鏡１０の構成を示す正面図であり、図３は反射鏡１０の構成を示す側面図であり、図４は反射鏡１０の構成を断面図で示す側面図である。
これらの図に示すように、樹脂製の反射鏡１０は衛星からの電波をコンバータ１４のホーンに集束させる凹状のパラボラ反射面と、背面に一体に形成された支持部１５および延伸部１２ａとアーム固定部１２とを備えている。パラボラ反射面は縦長とされてオフセットパラボラ用のパラボラ反射面とされている。支持部１５は反射鏡取付部１１における反射鏡１０側の構成とされており、上部に後述する枢軸ボルトが挿通される挿通孔１５ｂが形成され、背面側へ突出した部分に円弧状長孔１５ａが形成されている。また、円弧状長孔１５ａの下には仰角の角度を示す目盛１５ｃが付されている。後述するように、支持部１５は反射鏡取付部１１を構成する固着金具２０により挟持され、挿通孔１５ｂには固着金具２０に螺着される枢軸ボルトが挿通され、円弧状長孔１５ａには固着金具２０に螺着される調整ボルトが挿通される。反射鏡１０を所定の仰角に調整した際には、調整ボルトおよび枢軸ボルトが締着される。また、調整の際に目盛１５ｃにより反射鏡１０の仰角の角度が示される。固着金具２０はマスト５０をその間に挟持する挟持金具を備え、この構造により反射鏡取付部１１を備える反射鏡１０をマスト５０に固着することができる。固着する際には反射鏡１０の方位角を調整してから挟持金具を固着する。さらに、アーム固定部１２は反射鏡取付部１１から反射鏡１０の外周縁より外方へ位置する部分まで延伸されている延伸部１２ａの先端部に形成されている。アーム固定部１２は、前面が開口されたほぼ直方体状とされた嵌着枠部１２ｂを備え、その両側面には前方へ開口された所定長の挿入孔１２ｃが形成されており、挿入孔１２ｃの端部にはほぼ円形とされた孔部１２ｇが形成されている。なお、延伸部１２ａと支持部１５の内部には図４に示すように補強片が一体に形成されている。
【００１６】
次に、反射鏡１０に一体に形成されている延伸部１２ａの先端のアーム固定部１２の構成を図５ないし図８に示す。図５はアーム固定部１２の構成を示す下面図であり、図６はアーム固定部１２の構成を示す正面図であり、図７はアーム固定部１２の構成を示す側面図であり、図８はアーム固定部１２の構成を示す背面図である。
これらの図に示すように、延伸部１２ａの先端に形成されているアーム固定部１２は、延伸部１２ａの幅より若干狭く形成されている前面が開口されているほぼ直方体状の上下面と両側面と背面とからなる嵌着枠部１２ｂを備えている。嵌着枠部１２ｂの両側板には所定幅の挿入孔１２ｃが形成されており、挿入孔１２ｃの奥の端部にほぼ円形の孔部１２ｇが形成されている。この孔部１２ｇを取り囲む上下と後方に細長い溝とされている抜き孔１２ｊがそれぞれ形成されている。抜き孔１２ｊは孔部１２ｇに弾性を与えており、後述するアーム部１３の連結部１３ａに形成されている軸部が孔部１２ｇに嵌入された際に、孔部１２ｇが軸部を弾性的に支持するようになる。なお、嵌着枠部１２ｂの内部は空洞部１２ｅとされており、この空洞部１２ｅ内に軸部が収容されるようになる。
【００１７】
また、延伸部１２ａの内部には補強片１２ｆが筋交い状に形成されており、延伸部１２ａとアーム固定部１２との境界部には段差部１２ｉが形成されている。この段差部１２ｉは前部が水平とされ後部は下方へ傾斜しており、嵌着枠部１２ｂの後部の高さは次第に低くなるように形成されている。さらに、境界部における延伸部１２ａの向かって左側面にＬ字状のケーブルホルダ１２ｄが形成されている。ケーブルホルダ１２ｄは、コンバータ１４から導出された同軸ケーブルを保持するホルダとされている。さらに、嵌着枠部１２ｂの側板が後部に突出されることにより係合片１２ｈが両側に形成されており、係合片１２ｈは下に行くほど幅が狭くなるくさび状とされて上面は平面とされている。
【００１８】
次に、アーム部１３の構成を図９ないし図１２に示す。図９はアーム部１３の構成を示す側面図であり、図１０はアーム部１３の構成を示す平面図であり、図１１はアーム部１３の構成を示す背面図であり、図１２はアーム部１３の構成を断面図で示す側面図である。
これらの図に示すように、アーム部１３の先端部でコンバータ１４を支持している。コンバータ１４は図１２に示すように金属製のホーン１４ｃと金属製の筐体１４ｂとを有しており、筐体１４ｂ内には受信した衛星放送信号の周波数を中間周波数に変換するコンバータ回路が組み込まれている。この中間周波数の受信信号は筐体１４ｂに設けられている同軸接栓とされる出力端子１４ａから出力される。アーム部１３は樹脂製とされ、円弧状に屈曲されているアーム１３ｊと、アーム１３ｊの端部に形成された連結部１３ａを有している。アーム１３ｊの内側には補強片が形成されている。
【００１９】
連結部１３ａは、アーム１３ｊの延伸された両側面により形成された挟持部１３ｂと、挟持部１３ｂ内の前部のやや上側に形成された断面形状が異形とされた軸部１３ｅと、後部側の下面と背面のほぼ下半分により形成された断面Ｌ字状の抱持板１３ｈから構成されている。連結部１３ａの上面と背面の上半分および下面の前半分は開口されている。軸部１３ｅは、丸棒の上面と下面とをほぼ平行に切除した異形の断面形状とされて、挟持部１３ｂの水平面に対して上面と下面とが斜め上方になるよう軸部１３ｅは傾斜して形成されている。この軸部１３ｅのほぼ中央にはほぼ垂直方向にスリット１３ｆが全体にわたって形成されている。また、挟持部１３ｂのそれぞれの後部にはくさび状に突出する係止片１３ｃが形成されており、係止片１３ｃは上に行くほど幅が狭まるくさび状とされ、係止片１３ｃの下縁の内側に半球状に突出する突起１３ｄがそれぞれ形成されている。さらに、抱持板１３ｈの前部を除いて挟持部１３ｂとの間に溝部１３ｇが形成されている。
【００２０】
次に、上記したように構成されているアーム部１３の連結部１３ａを、アーム固定部１２に取り付ける取付方法を図１３ないし図２５を参照しながら説明する。
図１３ないし図１６はアーム固定部１２に連結部１３ａを位置合わせした状態を示しており、図１３は位置合わせした状態を示す側面図であり、図１４は位置合わせした状態を断面図で示す側面図であり、図１５は位置合わせした状態を示す背面図であり、図１６は位置合わせした状態を示す斜視図である。これらの図に示すように、アーム固定部１２の前方に連結部１３ａを位置させた際に軸部１３ｅの上面と下面とがほぼ水平になるようにアーム部１３を傾斜させ、軸部１３ｅをアーム固定部１２の挿入孔１２ｃに挿入できる位置に位置させる。この場合、挟持部１３ｂの外面には図１３に示すように白抜きの矢印が形成されており、この矢印を水平になるようアーム部１３を傾斜させると共に矢印の位置を挿入孔１２ｃの位置に合わせることで位置合わせすることができる。
【００２１】
図１７および図１８はアーム固定部１２の挿入孔１２ｃに軸部１３ｅを挿入しつつある状態を示しており、図１７は挿入しつつある状態を示す側面図であり、図１８は挿入しつつある状態を断面図で示す側面図である。これらの図に示すように、異形とされた軸部１３ｅの平らな上面と下面の幅が挿入孔１２ｃの上縁から下縁の幅にほぼ一致しており、挟持部１３ｂの外面に形成された矢印の方向に連結部１３ａを移動していくと、軸部１３ｅは挿入孔１２ｃ内を摺動して孔部１２ｇに向かって挿入されていく。この際に、連結部１３ａの挟持部１３ｂによりアーム固定部１２の嵌着枠部１２ｂの両側面が挟持されながら軸部１３ｅは挿入孔１２ｃ内に挿入されていくようになる。
【００２２】
図１９ないし図２１はアーム固定部１２の孔部１２ｇに軸部１３ｅが嵌入された状態を示しており、図１９は孔部１２ｇに軸部１３ｅが嵌入された状態を示す側面図であり、図２０は孔部１２ｇに軸部１３ｅが嵌入された状態を断面図で示す側面図であり、図２１は孔部１２ｇに軸部１３ｅが嵌入された状態を示す斜視図である。これらの図に示すように、ほぼ円形の孔部１２ｇ内に異形の軸部１３ｅが嵌入されている。軸部１３ｅの外径は、孔部１２ｇの内径よりやや大きくされている。また、連結部１３ａの挟持部１３ｂによりアーム固定部１２の嵌着枠部１２ｂの両側面が挟持されて、抱持板１３ｈが嵌着枠部１２ｂの下方に位置するようになる。
【００２３】
図２２ないし図２５は連結部１３ａをアーム固定部１２に嵌着した状態を示しており、図２２は嵌着した状態を示す側面図であり、図２３は嵌着した状態を断面図で示す側面図であり、図２４は嵌着した状態を示す背面図であり、図２５は嵌着した状態を示す斜視図である。これらの図に示すように、図１９ないし図２１に示す状態からアーム部１３を反時計方向に回動させると、軸部１３ｅを回動中心としてアーム１３ｊおよび連結部１３ａが反時計方向に回動していく。この際に、挟持部１３ｂにより嵌着枠部１２ｂの側面が挟持されながら回動していき、抱持板１３ｈが嵌着枠部１２ｂの後部の下面および後面の下半分に当接するまで回動される。このときに、溝部１３ｇの作用により抱持板１３ｈは弾性的に嵌着枠部１２ｂを抱持するようになり、係止片１３ｃも回動してその内側に形成されている突起１３ｄが、アーム固定部１２における係合片１２ｈの上面に溝部１３ｇの作用により弾性的に係合するようになる。
【００２４】
なお、異形の軸部１３ｅは孔部１２ｇがほぼ円形とされていることから孔部１２ｇ内において軸部１３ｅが回動可能となるが、軸部１３ｅに形成されたスリット１３ｆと孔部１２ｇの周囲に形成された抜き孔１２ｊの作用により、軸部１３ｅは外径がやや圧縮され、孔部１２ｇはやや内径が拡張されながら軸部１３ｅが孔部１２ｇ内を弾性的に回動していくようになる。そして、嵌着枠部１２ｂと延伸部１２ａとの境界部に形成されている段差部１２ｉに挟持部１３ｂの上縁が当接して、連結部１３ａがアーム固定部１２に嵌着されるようになる。この嵌着状態においては、軸部１３ｅが支点となり抱持板１３ｈが作用点となると共に、挟持部１３ｂの上縁も段差部１２ｉに対する作用点として機能する。このため、てこの原理によりアーム部１３の先端に取り付けられたコンバータ１４の重量を確実に保持することができ、上記固着構造は緩むことなく安定してアーム部１３をアーム固定部１２に取り付けることができるようになる。この場合、軸部１３ｅの外径が孔部１２ｇの内径よりやや大きくされていることから、アーム部１３を回動可能としてもスリット１３ｆと抜き孔１２ｊの作用により固着構造がガタつくことはない。
なお、連結部１３ａがアーム固定部１２に嵌着されている状態において、アーム部１３に時計方向に回動する力を印加すると軸部１３ｅを回動中心としてアーム１３ｊおよび連結部１３ａが時計方向に回動して、アーム部１３をアーム固定部１２から取り外すことができる。
【００２５】
次に、反射鏡取付部１１の詳細構成を示す斜視図を図２６に示す。図２６に示すように、反射鏡取付部１１は、反射鏡１０の背面に一体に形成されている支持部１５と、支持部１５を挟持するように枢軸ボルト２３および調整ボルト２４とにより取り付けられている固着金具２０から構成されている。固着金具２０は金属板を加工して作成されており、本体部２０ａは断面コ字状とされ、本体部２０ａの両側面には切り起こし部２０ｃが形成されて、切り起こし部２０ｃは本体部２０ａの中央部の面とほぼ同じ面上に配置されている。本体部２０ａの中央部は内側に凹んだ凹部が縦方向に形成されており、中央部と２つの切り起こし部２０ｃに対面するように挟持金具２１が配置されて、その間にマスト５０を挟持して固着できるようにされている。本体部２０ａの中央部の上部にはマスト５０の上面に当接する切り欠き片とされる一対のストッパー２０ｂが形成されている。また、挟持金具２１の中央部はくの字状に折曲されて、その内側にマスト５０に喰い込む鋸歯状の突起が多数形成されている。挟持金具２１の一側には長孔２１ａが形成されて、この長孔２１ａに一方のボルト２２が挿通されている。このボルト２２は一方の切り起こし部２０ｃに螺着されている。また、挟持金具２１の他側には他方のボルト２２が挿通される溝が形成されており、この溝に挿通される他方のボルト２２は他方の切り起こし部２０ｃに螺着されている。
【００２６】
このように構成された反射鏡取付部１１をマスト５０に取り付けた状態を図２７に示す。図２７に示すように、他方のボルト２２から挟持金具２１の他側に形成されている溝を離脱させて一方のボルト２２を中心として挟持金具２１を長孔２１ａの範囲内においてフリーに動かせるようにする。そして、本体部２０ａにおける中央部の凹部にマスト５０を当接させ、次いで、挟持金具２１を動かして上記ボルト２２に挟持金具２１の上記溝を係合させる。これにより、本体部２０ａにおける中央部の凹部と挟持金具２１との間にマスト５０が挟持され、マスト５０の上面はストッパー２０ｂの下面に当接するようになる。次いで、２本のボルト２２を切り起こし部２０ｃに仮止めして、マスト５０に対して反射鏡取付部１１を回転させて反射鏡１０の方位角を調整した後に２本のボルト２２を本締めする。これにより、マスト５０に反射鏡取付部１１、すなわち反射鏡１０を取り付けることができる。また、固着金具２０は枢軸ボルト２３と調整ボルト２４により固着されており、枢軸ボルト２３は図３に示す構成とされている支持部１５の挿通孔１５ｂに挿通され、調整ボルト２４は円弧状長孔１５ａに挿通される。これにより、枢軸ボルト２３を回転中心として固着金具２０に対して支持部１５を回転させることができる。この構成により、反射鏡１０の仰角を調整することができ、反射鏡１０を所定の仰角に調整した際に調整ボルト２４および枢軸ボルト２３を締着する。
【００２７】
図２７に示す例ではマスト５０の上端に反射鏡取付部１１を取り付けるようにしたが、マスト５０の中途に反射鏡取付部１１を取り付けることもできる。この場合は、図２８に示すように切り欠き片とされている一対のストッパー２０ｂを本体部２０ａにおける中央部の凹部の面上に位置させるよう内側に折り曲げる。これにより、マスト５０の上面にストッパー２０ｂが当接することなく、マスト５０をストッパー２０ｂを超えて上方へ突出させることができる。マスト５０の中途に反射鏡取付部１１を取り付けた状態を図２９に示す。この図に示すように、マスト５０の中途を固着金具２０の中央部と挟持金具２１とにより挟持して、マスト５０に所定の方位角で反射鏡取付部１１、すなわち反射鏡１０を取り付けることができる。なお、枢軸ボルト２３を回転中心として固着金具２０に対して支持部１５を回転させることができ、この構成により、反射鏡１０の仰角を調整することができる。
【産業上の利用可能性】
【００２８】
以上説明した本発明にかかる反射鏡アンテナは、反射鏡のアーム固定部にコンバータが取り付けられたアーム部を着脱可能に取り付けることができることから、アーム部を反射鏡から取り外して梱包することができるようになる。従って、反射鏡アンテナの梱包姿勢を小さくすることができ、輸送効率を向上することができるようになる。さらに、所望の衛星放送受信用のコンバータが取り付けられているアーム部を選択して取り付けることができることから、特定の衛星放送専用の反射鏡アンテナとすることなく、アーム部を選択することにより所望の衛星放送受信用の反射鏡アンテナとして共用することができるようになる。
また、以上の説明では反射鏡１０を樹脂製としたが、反射鏡１０をアルミニウム等の軽金属製としてもよく、この場合には軽金属製の反射鏡１０の背面に樹脂製の支持部１５をボルト等により固着するようにする。
【図面の簡単な説明】
【００２９】
【図１】本発明にかかる反射鏡アンテナの実施例であるパラボラアンテナの構成を示す側面図である。
【図２】本発明の実施例であるパラボラアンテナにおける反射鏡の構成を示す正面図である。
【図３】本発明の実施例であるパラボラアンテナにおける反射鏡の構成を示す側面図である。
【図４】本発明の実施例であるパラボラアンテナにおける反射鏡の構成を断面図で示す側面図である。
【図５】本発明の実施例であるパラボラアンテナにおけるアーム固定部の構成を示す下面図である。
【図６】本発明の実施例であるパラボラアンテナにおけるアーム固定部の構成を示す正面図である。
【図７】本発明の実施例であるパラボラアンテナにおけるアーム固定部の構成を示す側面図である。
【図８】本発明の実施例であるパラボラアンテナにおけるアーム固定部の構成を示す背面図である。
【図９】本発明の実施例であるパラボラアンテナにおけるアーム部の構成を示す側面図である。
【図１０】本発明の実施例であるパラボラアンテナにおけるアーム部の構成を示す平面図である。
【図１１】本発明の実施例であるパラボラアンテナにおけるアーム部の構成を示す背面図である。
【図１２】本発明の実施例であるパラボラアンテナにおけるアーム部の構成を断面図で示す側面図である。
【図１３】本発明の実施例であるパラボラアンテナにおいてアーム固定部に連結部を位置合わせした状態を示す側面図である。
【図１４】本発明の実施例であるパラボラアンテナにおいてアーム固定部に連結部を位置合わせした状態を断面図で示す側面図である。
【図１５】本発明の実施例であるパラボラアンテナにおいてアーム固定部に連結部を位置合わせした状態を示す背面図である。
【図１６】本発明の実施例であるパラボラアンテナにおいてアーム固定部に連結部を位置合わせした状態を示す斜視図である。
【図１７】本発明の実施例であるパラボラアンテナにおいて挿入孔に軸部を挿入しつつある状態を示す側面図である。
【図１８】本発明の実施例であるパラボラアンテナにおいて挿入孔に軸部を挿入しつつある状態を断面図で示す側面図である。
【図１９】本発明の実施例であるパラボラアンテナにおいて孔部に軸部が嵌入された状態を示す側面図である。
【図２０】本発明の実施例であるパラボラアンテナにおいて孔部に軸部が嵌入された状態を断面図で示す側面図である。
【図２１】本発明の実施例であるパラボラアンテナにおいて孔部に軸部が嵌入された状態を示す斜視図である。
【図２２】本発明の実施例であるパラボラアンテナにおいて連結部をアーム固定部に嵌着した状態を示す側面図である。
【図２３】本発明の実施例であるパラボラアンテナにおいて連結部をアーム固定部に嵌着した状態を断面図で示す側面図である。
【図２４】本発明の実施例であるパラボラアンテナにおいて連結部をアーム固定部に嵌着した状態を示す背面図である。
【図２５】本発明の実施例であるパラボラアンテナにおいて連結部をアーム固定部に嵌着した状態を示す斜視図である。
【図２６】本発明の実施例であるパラボラアンテナにおける反射鏡取付部の詳細構成を示す斜視図である。
【図２７】本発明の実施例であるパラボラアンテナにおける反射鏡取付部にマストを取り付けた状態を示す斜視図である。
【図２８】本発明の実施例であるパラボラアンテナにおける反射鏡取付部のストッパーを折り曲げた構成を示す斜視図である。
【図２９】本発明の実施例であるパラボラアンテナにおける反射鏡取付部にマストの中途を取り付けた状態を示す斜視図である。
【図３０】従来の反射鏡アンテナの構成の一例を示す側面図である。
【図３１】従来の反射鏡アンテナの構成の一例における反射鏡取付部の構成を拡大して示す斜視図である。
【図３２】従来の反射鏡アンテナの構成の一例における反射鏡取付部にますとを取り付けた状態を示す斜視図である。
【図３３】従来の反射鏡アンテナの構成の他の例を示す側面図である。
【図３４】従来の反射鏡アンテナの構成の他の例における連結部とアーム固定部の構成を示す斜視図である。
【図３５】従来の反射鏡アンテナの構成の他の例における連結部をアーム固定部に嵌着した状態を示す斜視図である。
【符号の説明】
【００３０】
１  パラボラアンテナ、１０  反射鏡、１１  反射鏡取付部、１２  アーム固定部、１２ａ  延伸部、１２ｂ  嵌着枠部、１２ｃ  挿入孔、１２ｄ  ケーブルホルダ、１２ｅ  空洞部、１２ｆ  補強片、１２ｇ  孔部、１２ｈ  係合片、１２ｉ  段差部、１２ｊ  抜き孔、１３  アーム部、１３ａ  連結部、１３ｂ  挟持部、１３ｃ  係止片、１３ｄ  突起、１３ｅ  軸部、１３ｆ  スリット、１３ｇ  溝部、１３ｈ  抱持板、１３ｊ  アーム、１４  コンバータ、１４ａ  出力端子、１４ｂ  筐体、１４ｃ  ホーン、１５  支持部、１５ａ  円弧状長孔、１５ｂ  挿通孔、１５ｃ  目盛、２０  固着金具、２０ａ  本体部、２０ｂ  ストッパー、２０ｃ  切り起こし部、２１  挟持金具、２１ａ  長孔、２２  ボルト、２３  枢軸ボルト、２４  調整ボルト、５０  マスト、１００  パラボラアンテナ、１１０  反射鏡、１１１  反射鏡取付部、１１３  アーム部、１１４  コンバータ、１１５  支持金具、１１５ａ  本体部、１１５ｂ  側板、１１５ｃ  円弧状長孔、１１５ｄ  取付足、１１６  ボルト、１１７  ボルト、１２０  固着金具、１２０ａ  本体部、１２０ｂ  ストッパー金具、１２０ｃ  側板、１２１  挟持金具、１２１ａ  長孔、１２２  ボルト、２００  パラボラアンテナ、２１０  反射鏡、２１１  反射鏡取付部、２１２  アーム固定部、２１２ａ  係合片、２１２ｂ  ガイド部、２１２ｃ  溝部、２１２ｄ  ホルダー、２１３  アーム部、２１４  コンバータ、２１５  連結部、２１５ａ  弾性係合片、２１５ｂ  レール片、２１５ｃ  底面板、２１５ｄ  ストッパー面板
【図１】
0005047866.tif 000002
【図２】
0005047866.tif 000003
【図３】
0005047866.tif 000004
【図４】
0005047866.tif 000005
【図５】
0005047866.tif 000006
【図６】
0005047866.tif 000007
【図７】
0005047866.tif 000008
【図８】
0005047866.tif 000009
【図９】
0005047866.tif 000010
【図１０】
0005047866.tif 000011
【図１１】
0005047866.tif 000012
【図１２】
0005047866.tif 000013
【図１３】
0005047866.tif 000014
【図１４】
0005047866.tif 000015
【図１５】
0005047866.tif 000016
【図１６】
0005047866.tif 000017
【図１７】
0005047866.tif 000018
【図１８】
0005047866.tif 000019
【図１９】
0005047866.tif 000020
【図２０】
0005047866.tif 000021
【図２１】
0005047866.tif 000022
【図２２】
0005047866.tif 000023
【図２３】
0005047866.tif 000024
【図２４】
0005047866.tif 000025
【図２５】
0005047866.tif 000026
【図２６】
0005047866.tif 000027
【図２７】
0005047866.tif 000028
【図２８】
0005047866.tif 000029
【図２９】
0005047866.tif 000030
【図３０】
0005047866.tif 000031
【図３１】
0005047866.tif 000032
【図３２】
0005047866.tif 000033
【図３３】
0005047866.tif 000034
【図３４】
0005047866.tif 000035
【図３５】
0005047866.tif 000036